(57)【要約】【課題】上下多段の商品陳列棚を装備したショーケースを対象に、商品陳列棚の脱落防止機能，取扱性の改善が図れるように改良した棚のロック機構を提供する。【解決手段】ケース本体の庫内に上下段に並ぶ商品陳列棚３を装備したショーケースで、商品陳列棚が棚板と棚板を担持する左右一対の棚ブラケット７からなり、棚ブラケットはその後端に突き出した係合爪部７ａを庫内の背面に立設した棚支柱８の係止角穴８ａに嵌挿して着脱可能に掛止支持したものにおいて、前記棚ブラケット７を掛止位置に固定するロック手段として、棚ブラケットの後部上縁側に、該棚ブラケットの係合爪と重ねて先端を棚支柱の角穴に嵌挿するスライド操作式のストッパ９を設け、その具体的な態様として前記ストッパの取付け基部９ａに締結ねじ１０を螺設し、該締結ねじを介して棚ブラケット７の板面に形成したガイド用長穴７ｂに沿い前後へ移動可能に案内支持する。【選択図】図１
2007190357.tif 000002
【特許請求の範囲】
【請求項１】
ケース本体の庫内に上下段に並ぶ商品陳列棚を装備したショーケースであって、前記商品陳列棚が棚板と該棚板を担持する左右一対の棚ブラケットからなり、棚ブラケットはその後端縁から背後に突き出した係合爪を庫内の背面に立設した棚支柱の角穴に差し込んで掛止保持したものにおいて、
前記棚ブラケットを掛止位置に固定するロック手段として、棚ブラケットの後部上縁側に、該棚ブラケットの係合爪と重ねて先端を棚支柱の角穴に嵌挿するスライド操作式のストッパを設けたことを特徴とするショーケース。
【請求項２】
請求項１に記載のショーケースにおいて、ストッパの取付け基部に締結ねじを螺設し、該締結ねじを介して棚ブラケットの板面に形成したガイド用長穴に沿い前後へ移動可能に案内支持したことを特徴とするショーケース。
【請求項３】
請求項１に記載のショーケースにおいて、ストッパの取付け基部が棚ブラケットの上縁に跨がって前後に移動可能なスライダになり、かつその内壁面には棚ブラケットの板面に形成したガイド用長穴，およびストッパの差し込み／後退位置に対応する位置決め穴にそれぞれ嵌入する突起部を形成して移動可能に案内支持したことを特徴とするショーケース。
【発明の詳細な説明】
【技術分野】
【０００１】
本発明は、多段式のオープンショーケースを対象としたショーケースに関し、詳しくはケース本体の庫内に配置した商品陳列棚の脱落を防止するロック機構に係わる。
【背景技術】
【０００２】
周知のように、頭記のオープンショーケースはケース本体の庫内に上下段に並ぶ商品陳列棚を装備しており、その従来構造を図５〜図７に示す。図５，図６において、１は断熱筐体になる前面開放形のケース本体、２は内箱、３は上下段に並べてケース本体１の庫内に配置した商品陳列棚、４は冷気循環ダクト、５は冷却器（冷凍機のエバポレータ）、６は冷気循環用の庫内ファンである。
ここで、商品陳列棚３は詳細を後記する左右一対の棚ブラケット７と組み合わせてケース本体１の庫内背面に立設した棚支柱８に着脱可能に掛止支持されている。すなわち、商品陳列棚３の棚板はその左右両端が棚ブラケット７の上に担持して固定支持されており、かつ棚ブラケット７にはその後端縁から背後に係合爪７ａが突き出し形成されている。一方、図７で示すように庫内の背面に立設した棚支柱８（チャンネル鋼材）には、その前面に上下多段に並ぶ角穴８ａが開口している。そして、商品陳列棚３を所望の高さ位置にセットするには、棚支柱６の角穴８ａを選択してここに棚ブラケット７の係合爪７ａを角穴８ａに差し込んで掛止保持するようにしている。そして、棚ブラケット７の上に商品陳列棚３を担持した状態では、棚ブラケット７に商品陳列棚３の荷重が加わって掛止位置に安定保持されることなる。なお、棚支柱８の角穴８ａは、棚ブラケット７の係合爪７ａが自由に抜き差しできるように寸法Ａ（角穴８ａの高さ）が係合爪７ａの寸法Ｂよりも大きく余裕を持たせた開口寸法（Ａ＞Ｂ）に形成されている。
【０００３】
ところで、前記した商品陳列棚の支持構造のままでは、ショーケースをロケーション先に設置した使用状態で、例えば客の手が商品陳列棚３に当たって棚板を下側から押し上げるような力が加わると、棚ブラケット７の係合爪７ａが浮き上がって棚支柱８の角穴８ａから抜け出し、棚ブラケット７が商品陳列棚３とともに脱落するおそれがある。
一方、前記のような商品陳列棚の脱落を防止する対策として、前記棚支柱８の角穴に独立部品になる押え具（ストッパ）を取付けて棚ブラケット７を上方から掛止位置に押え込み、棚に下方からの外力が加わった場合に、棚ブラケット７が浮き上がって係合爪７ａが支柱８の角穴８ａから外れることが内容にして商品陳列棚３の不測な脱落を防ぐようにしたものが知られている（例えば、特許文献１参照）。
【特許文献１】特開２００１−１０４１１７号公報（図３，図６）
【発明の開示】
【発明が解決しようとする課題】
【０００４】
前記の特許文献１に開示されている押え具を用いることにより、商品陳列棚が不測に脱落するのを防ぐことができるものの、その機能，取扱性面で次記のような課題が残る。すなわち、押え具は棚支柱の前方から棚ブラケットの一段上の角穴に差込し保持しただけであることから、商品陳列棚が揺すられたり振動が繰り返し加わったりすると押え具自身が棚支柱の角穴から抜け出て商品陳列棚を掛止位置に押え込む保持機能が喪失するおそれがある。また、押え具は商品陳列棚と分離独立した部品であるために、ショーケースの設置先現場で商品陳列棚の取付け位置を変更するなどの作業時に一旦取り外した押え具を紛失したり、また変更後の角穴へ差し込むのを忘れたりするといった作業ミスが発生し易い問題点もある。
本発明は上記の点に鑑みなされたものであり、上下段に並ぶ商品陳列棚を庫内に装備したショーケースを対象に、前記課題を解決して商品陳列棚の脱落防止機能，取扱い性の改善が図れるように改良した商品陳列棚の棚ロック機構を提供することを目的とする。
【課題を解決するための手段】
【０００５】
上記目的を達成するために、本発明によれば、ケース本体の庫内に上下段に並ぶ商品陳列棚を装備したショーケースであって、前記商品陳列棚が棚板と該棚板を担持する左右一対の棚ブラケットからなり、棚ブラケットはその後端縁から背後に突き出した係合爪を庫内の背面に立設した棚支柱の角穴に差し込んで掛止保持したものにおいて、
前記棚ブラケットを掛止位置に固定するロック手段として、棚ブラケットの後部上縁側に、該棚ブラケットの係合爪と重ねて先端を棚支柱の角穴に嵌挿するスライド操作式のストッパを設けるものとし（請求項１）、その具体的な態様として、
（１）前記ストッパの取付け基部に締結ねじを螺設し、該締結ねじを介して棚ブラケットの板面に形成したガイド用長穴に沿い前後へ移動可能に案内支持する（請求項２）。
（２）前記ストッパの取付け基部が棚ブラケットの上縁に跨がって前後に移動可能なスライダになり、かつその内壁面には棚ブラケットの板面に形成したガイド用長穴，およびストッパの差し込み／後退位置に対応する位置決め穴にそれぞれ嵌入する突起部を形成して移動可能に案内支持する（請求項３）。
【発明の効果】
【０００６】
上記の構成により、棚ブラケットの係合爪を棚支柱の角穴に差し込んで掛止した後、棚ブラケットの上縁側に組み付けたストッパをスライド操作して待機位置からその先端を係合爪と角穴との間の隙間に差込むと、棚ブラケットの係合爪と棚支柱の角穴上縁との間に残っている遊び間隙（ガタ分）を後から嵌挿したストッパが埋めることになる。したがって、商品陳列棚の前端部を下から押し上げるような外力が加わっても、棚ブラケットの係合爪が浮き上がって棚支柱の角穴から抜け出るおそれはなく、これにより商品陳列棚の不測な脱落を確実に防止できる。
しかも、前記ストッパは、棚ブラケットに組み付けて前後へスライド可能に支持し、かつ棚支柱の角穴に差し込んだ位置で棚ブラケットに固定するようにしているので、外部から振動などが加わってもストッパが棚ブラケットから脱落することがなく、かつ棚支柱の角穴へのストッパの抜き差しもでスライド操作で簡単に行える。また、商品陳列棚のメンテナンス作業時に棚ブラケットを棚支柱から外しても、ストッパは棚ブラケットに保持されているので従来の押え具のように紛失したりするおそれもない。
【発明を実施するための最良の形態】
【０００７】
以下、本発明の実施の形態を図１〜図４に示す実施例に基づいて説明する。
【実施例１】
【０００８】
図１，図２は第１の実施例に係わる棚ブラケットの支持構造を示すものである。この実施例では、図７に示した従来構造の棚ブラケット７に対し、その後部上縁に形成した段差部にスライド式のストッパ９が追加装備されている。このストッパ９は、先端がキー状に突き出し、その後部に形成したＬ字状の取付け基部９ａに締結ねじ（化粧ねじ）１０を螺設している。そして、この取付け基部９ａを棚ブラケット７の側面に重ねて添わせ、締結ねじ１０を介して棚ブラケット７の板面に形成したガイド長穴７ｂに沿って前後方向（矢印）へスライド可能に案内支持されている。ここで、ストッパ９の先端部は、棚ブラケット７の板厚とほぼ同じ幅で、かつ棚支柱８に開口した角穴８ａと棚ブラケット７の係合爪７ａの根元部との寸法差をほぼ補完するような厚さに設定されている。
そして、棚ブラケット７を棚支柱８に取り付けるには、ストッパ９をブラケットの先端側に後退させた状態で、係合爪７ａを棚支柱８の選択した角穴８ａに差し込んで掛止し、続いてストッパ９を後退位置からスライド操作して係合爪７ａと角穴８ａとの間に残る間隙に差し込みセットした上で、締結ねじ１０を締めつけて図示位置に固定する。
【０００９】
これにより、角穴８ａの開口端縁（上側）と係合爪７ａとの間に残る隙間がストッパ９により補填されて係合爪７ａは掛止位置に拘束ロックされる。したがって、この状態では商品陳列棚３に上向きの外力が加わっても棚ブラケット７が浮き上がることがなく、これにより係合爪７ａが棚支柱８の角穴８ａから抜け出て商品陳列棚３が不測に脱落するのを確実に防止できる。しかも、ストッパ９はその取付基部９ａが棚ブラケット７にねじ締結されているので、外力，振動などが加わっても角穴８ａから抜け出るおそれはない。
また、商品陳列棚３の取付け位置変更などで棚ブラケット７を取り外す場合には、先ず締結ねじ１０を緩め、続いてストッパ９を後退位置にスライド操作して棚支柱８の角穴８ａから引き抜く。これにより棚ブラケット７は拘束が無くなり（アンロック）、係合爪７ａを棚支柱８の角穴８ａから外すことで簡単に抜き取ることができる。なお、棚支柱８から棚ブラケット７を取り外した状態でも、ストッパ９は締結ねじ１０により棚ブラケット７に結合されているので、ストッパ部品を紛失するおそれはない。
【実施例２】
【００１０】
次に、先記の実施例１で述べたストッパの構造をさらに改良した本発明の請求項３に対応する第２の実施例を図３，図４で説明する。この実施例ではストッパ９の取付け基部を跨座式のスライダで構成し、後記のように棚ブラケット７の上縁に跨がって前後方向へスライド移動可能に案内支持している。
すなわち、図４（ａ）〜（ｄ）で示すように、樹脂成形品で作られたストッパ９は断面が逆Ｕ字形である二股形状の取付け基部９ａを有しており、その左右側壁の内面には棚ブラケット７に係合する突起９ｂ，９ｃが、また後端側の頂部にはスライド操作時に指をかける摘み９ｄが起立形成されており、取付け基部９ａの先端からキー状のストッパ片９ｅが突き出した構造になる。
一方、棚ブラケット７の後端側頂部には前記ストッパ９の突起９ｂに対応するガイド用の長穴７ｂと、ストッパ９の差し込み／後退位置（ロック／アンロック位置）に対応して前記突起９ｃが嵌まり込む位置決め穴７ｃ，７ｄが形成されている。そして、棚ブラケット７の後部上縁に跨がってストッパ９が前後方向へスライド移動可能に跨座支持される。
【００１１】
ここで、棚支柱８の角穴８ａに棚ブラケット７の係合爪７ａを掛止した商品陳列棚３の取付け状態で、図３（ａ）のようにストッパ９を矢印方向にスライド操作して先端のストッパ片９ｅ（図４参照）を角穴８ａに差し込むと、実施例１で述べたと同様に棚ブラケット７の係合爪７ａが角穴８ａから抜け出ないように掛止位置にロックされる。また、このロック状態ではストッパ９の取付け基部９ａに形成した突起９ｃが棚ブラケット７の位置決め穴７ｃに嵌まり込んでストッパ９が差し込み位置に保持される。
一方、商品陳列棚３の取付位置を変更するために、棚ブラケット７を棚支柱８から一旦取り外す場合には、図３（ｂ）で示すようにストッパ９を図示矢印方向にスライド操作して後退させる。これにより、先端のストッパ９ｅが棚支柱８の角穴８ａから前方に抜け出てアンロックの状態となる。これにより、棚ブラケット７は係合爪７ａを棚支柱８の角穴８ａから外して抜き取ることかできる。なお、ストッパ９を後退位置にスライド操作したアンロック状態では、取付け基部９ａの突起９ｂが棚ブラケット７のガイド長穴７ｂに嵌合しており、さらに突起９ｃが後退位置の位置決め穴７ｄに嵌まり込んでこの位置に保持される。したがって、棚ブラケット７を棚支柱８から取り外した状態でも、ストッパ９が棚ブラケットから外れたりするおそれはない。
【図面の簡単な説明】
【００１２】
【図１】本発明の第１実施例に係わる商品陳列棚の掛止保持状態を表す棚取付け構造の側面図
【図２】図１の斜視図
【図３】本発明の第２実施例に係わる商品陳列棚の取付構造図で、（ａ），（ｂ）はそれぞれ棚支柱の角穴に掛止した棚ブラケットのロック状態，アンロック状態を表す側面図
【図４】図３におけるストッパの詳細構造図で、（ａ）は側面図、（ｂ）は正面図、（ｃ）は（ａ）と反対側から見た側面図、（ｄ）は平面図
【図５】本発明の実施対象となる多段式オープンショーケースの外観図
【図６】図５断面側視図
【図７】商品陳列棚の従来における取付構造を表す図６のＰ部拡大図
【符号の説明】
【００１３】
１    ケース本体
３    商品陳列棚
７    棚ブラケット
７ａ  係合爪
７ｂ  長穴
７ｃ  差し込み位置決め穴
７ｄ  後退位置決め穴
８    棚支柱
８ａ  角穴
９    ストッパ
９ａ  取付け基部
９ｂ，９ｃ  突起
９ｄ  摘み
９ｅ  ストッパ片
１０    締結ねじ
【図１】
2007190357.tif 000003
【図２】
2007190357.tif 000004
【図３】
2007190357.tif 000005
【図４】
2007190357.tif 000006
【図５】
2007190357.tif 000007
【図６】
2007190357.tif 000008
【図７】
2007190357.tif 000009